(57)【特許請求の範囲】
【請求項１】
公衆電話回線網に接続される通信装置が、さらに、電話回線を介さずにＦＡＸ装置と直接接続可能に構成されており、前記公衆電話回線網からの呼び出し信号を検出するリング検出回路と、通信装置が内蔵する後記ＦＡＸモデムとこの通信装置に直接接続された前記ＦＡＸ装置が導通状態でない場合に前記ＦＡＸ装置のオフフック状態を検出するオフフック検出回路と、直接接続されたＦＡＸ装置が発するトーン信号を導通させる導通回路と、前記導通回路によって導通された前記トーン信号を検出するトーン検出回路と、前記呼び出し音の検出および前記ＦＡＸ装置の非オフフック状態検出または前記ＦＡＸ装置のオフフック状態検出および前記トーンの検出に伴って遮断状態から導通状態へスイッチし、前記公衆電話回線網または前記ＦＡＸ装置からＦＡＸデータを受信するオフフック回路と、前記オフフック回路を経由して前記公衆電話回線網または前記ＦＡＸ装置からＦＡＸデータを受信するとともに、受信されたアナログ信号をＦＡＸのデジタルデータに復調するＦＡＸモデムを備えていることを特徴とする通信装置。
【発明の詳細な説明】
【０００１】
【発明の属する技術分野】
本発明は、ファクシミリ(以降ＦＡＸと記す)装置に対する各種データの入出力を容易とするものであり、例えばＦＡＸデータを電話回線を介して送受信するためのアナログ信号に変復調する変復調器（モデム）や、ビットマップデータなどの画像データをＦＡＸデータに変換してＦＡＸ装置を用いて印字したり、ＦＡＸ装置からのＦＡＸデータを受信しビットマップデータ等の画像データに変換して表示する通信装置あるいはコンピュータ、インテリジェントテレビ等に関するものである。
【０００２】
【従来の技術】
近年、家電やコンピュータ機器のマルチメディア化が促進され、画像データを送受信する装置が広く使われるようになってきた。
【０００３】
以下に従来の通信装置について説明する。図１２、図１３は従来の通信装置の構成を示すものである。
【０００４】
１０１は画像メモリーであって画像データをビットマップデータとして展開して記録している。１０２は表示回路であって画像メモリー１０１上のビットマップデータを読み出した後、表示ＲＧＢ信号に変換して出力する。１０３はマイコンであってビットマップデータを読み出した後、ＦＡＸのフォーマットに変換する。１０４はＦＡＸモデムであってマイコン１０３が変換したＦＡＸのデジタルデータを入力し、電話回線に送信するためのアナログ信号に変調し、ＮＣＵ回路１０５を介して電話回線に送信する。１０６はＦＡＸ装置であり電話回線と直接接続されており、電話回線を介しての送受信に使用限定される。
【０００５】
次に図１３を用いて図１２のＮＣＵ回路１０５の制御動作について説明する。１１１はＦＡＸモデムでマイコン１１２により制御される。
【０００６】
ＦＡＸモデム１１１がＦＡＸデータを電話回線に送信する場合、マイコン１１２はＦＡＸ装置１１４に接続されているオフフック検出回路１１５で、ＦＡＸ装置１１４がオフフック状態でない事を確認した後、切り替え回路１１０をマイコン１１２の制御によりＦＡＸモデム側に切り替えた後、ＦＡＸモデム１１１に接続されているオフフックスイッチ１１３をオフフック状態にし、電話回線にデーターを送信するように制御する。
【０００７】
また、ＦＡＸデータを電話回線から受信する場合、送信されてくる呼び出し信号を電話回線に接続されるリング検出回路１１６で検出し、ＦＡＸ装置114がオフフック状態でない時、切り替え回路１１０をマイコン１１２の制御によりＦＡＸモデム側に切り替えた後、ＦＡＸモデム１１１はマイコン１１２の制御でオフフックスイッチ１１３をオフフックする。その時電流源１１７により電話回線に対してＤＣループが生じオフフック状態となる。その後ＦＡＸモデム１１１はＦＡＸデータを受信する。
【０００８】
ＦＡＸ装置１１４は電話回線に切り替え回路１１０を介して接続されており、電話回線との呼び出し信号の送受信は、切り替え回路１１０をマイコンの制御でＦＡＸ装置１１４側に切り替えてはじめて電話回線とのＦＡＸデータの送受信はできる。しかし、切り替え回路１１０によりＦＡＸモデム１１１とＦＡＸ装置１１４の接続はできないためＦＡＸモデム１１１とＦＡＸ装置１１４との送受信はできない。また、図示していないがＦＡＸ装置１１４をＦＡＸモデム１１１に電話回線を介さずに直接接続した場合においても、ＦＡＸモデム１１１はＦＡＸ装置１１４に対して、回線を通さずに呼び出し信号の送受信する手段が無いため、ＦＡＸモデム１１１とＦＡＸ装置１１４はマイコン１１２の制御によるＦＡＸデータの自動送受信はできない。
【０００９】
なお、図１３においてはＮＣＵ回路に必要なブリッジ回路等は本発明の説明に直接関係しないので省略した。
【００１０】
【発明が解決しようとする課題】
上記のように、このような構成では、下記のような問題点がある。
【００１１】
（１）ＦＡＸモデム１１１に電話回線を介さずに直接接続されるＦＡＸ装置１１４に対してＮＣＵ回路１１８が呼び出し信号を送出できないため、ＦＡＸ装置１１４が呼び出し信号を受信して、ＮＣＵ回路１１８に対してオフフックする制御ができない。その結果、電話回線を介さずに直接接続されるＦＡＸ装置１１４にデータを送信できないという問題が生じていた。
【００１２】
（２）ＮＣＵ回路１１８が送信データの送り先を電話回線１１９あるいはＦＡＸ装置１１４どちらかに選択する手段を持たないため、ユーザーが送信データの送り先を選択できないという問題が生じていた。
【００１３】
（３）ＦＡＸモデム１１１に電話回線を介さずに直接接続されるＦＡＸ装置１１４からの呼び出し信号をＦＡＸモデム１１１が検出できないので、マイコン１１２がＦＡＸ装置１１４に対してオフフックする制御ができない。結果、電話回線を介さずに直接接続されるＦＡＸ装置１１４からデータを受信できないという問題が生じていた。
【００１４】
（４）ＮＣＵ回路が受信データの送り元を電話回線１１９あるいはＦＡＸ装置１１４どちらかに選択する機能を持たないため、ユーザーが受信するデータの送り元を選択できないという問題が生じていた。
【００１５】
【課題を解決するための手段】
この目的を達成するために、本発明は、公衆電話回線網に接続される通信装置が、さらに、電話回線を介さずにＦＡＸ装置と直接接続可能に構成されており、前記公衆電話回線網からの呼び出し信号を検出するリング検出回路と、通信装置が内蔵する後記ＦＡＸモデムとこの通信装置に直接接続された前記ＦＡＸ装置が導通状態でない場合に前記ＦＡＸ装置のオフフック状態を検出するオフフック検出回路と、直接接続されたＦＡＸ装置が発するトーン信号を導通させる導通回路と、前記導通回路によって導通された前記トーン信号を検出するトーン検出回路と、前記呼び出し音の検出および前記ＦＡＸ装置の非オフフック状態検出または前記ＦＡＸ装置のオフフック状態検出および前記トーンの検出に伴って遮断状態から導通状態へスイッチし、前記公衆電話回線網または前記ＦＡＸ装置からＦＡＸデータを受信するオフフック回路と、前記オフフック回路を経由して前記公衆電話回線網または前記ＦＡＸ装置からＦＡＸデータを受信するとともに、受信されたアナログ信号をＦＡＸのデジタルデータに復調するＦＡＸモデムを備えていることを特徴とする。
【００１８】
【発明の実施の形態】
（実施の形態１）
以下、本発明の実施例を図面を参照しながら説明する。
【００１９】
図１は本発明の通信装置の構成を示す図面である。図１において、１１は画像メモリーであって入力された画像データをビットマップデータとして記録している。１２は表示回路であって画像メモリー１１上のビットマップデータを読み出した後、表示ＲＧＢ信号に変換し出力する。１３はマイコンであって画像メモリー１１上のビットマップデータを読み出した後、ＦＡＸのフォーマットに変換する、または、入力するＦＡＸのフォーマットデータをビットマップデータに変換し、画像メモリー１１に書き込むものである。１４はＦＡＸモデムであり、マイコン１３が変換したＦＡＸフォーマットのデジタルデータを入力し、電話回線に送信させるためのアナログ信号に変調し、ＮＣＵ回路１５を介してＦＡＸ装置１６、あるいは電話回線に送信する。またＦＡＸモデム１４は、ＦＡＸ装置１６あるいは電話回線からのアナログ信号に変調されたＦＡＸデータを受信し、ＦＡＸフォーマットのデジタルデータフォーマットに変換し、マイコンに１３に出力する。
【００２０】
本発明は従来例では不可能であったＦＡＸモデムとＦＡＸ装置１６が直接接続される、すなわち電話回線を介さずＦＡＸモデム１４とＦＡＸ装置１６が直接接続されると共に、相互の送受信を可能にしている。以下にＮＣＵ回路の構成例を示し、その動作を説明する。
【００２１】
図２において、２１はＦＡＸモデムでありマイコン２２により制御され、ＦＡＸフォーマットのデジタルデータを入力し、アナログ信号に変調して出力する。２３は呼び出し信号生成回路であって、マイコン２２からの１６Ｈｚで１秒オン、２秒オフの周期の呼び出し信号を入力し、２００Ｖ程度の振幅に変換して出力する。２４は切り替え回路であってＦＡＸ装置２８の接続元をＦＡＸモデム２１あるいは呼び出し信号生成回路２３にするかをマイコン２２の制御で切り替える。
【００２２】
２５は第１のオフフック検出回路で切り替え回路２４が呼び出し信号生成回路２３側に切り替えられている場合にＦＡＸ装置２８に接続され適応する。２６は第２のオフフック検出回路であって切り替え回路２４がＦＡＸモデム２１側に切り替えられている場合にＦＡＸ装置２８に接続され適応する。２７はＤＣ供給回路で電流源であり、ＦＡＸ装置２８に対して切り替え回路２４を介してＤＣ電流を供給する。
【００２３】
このような構成の通信装置において、ユーザーがＦＡＸ装置２８へのＦＡＸデータの送信を行う場合のマイコン２２等の制御動作を図２、図３を用いて説明する。図３において、まず適応する第2のオフフック検出回路２６または第1のオフフック検出回路２５によりＦＡＸ装置２８がオフフック状態でないのを確認し(ステップ1)、切り替え回路２４を呼び出し信号生成回路２３側に切り替える(ステップ2)。その後、呼び出し信号生成回路２３が呼び出し信号をＦＡＸ装置２８に送出する(ステップ3)。その後、所定の時間内にＦＡＸ装置２８がオフフックしたのを適応するオフフック検出回路２３により確認し(ステップ5)、切り替え回路２４はＦＡＸモデム２１側に切り替える(ステップ6)。ＦＡＸモデム２１は、図1に示す画像メモリー１１からのデータを、ＦＡＸフォーマットデータとして送信するよう制御する(ステップ１０)。以上のような動作を実行することで、入力された画像データを、電話回線を介さずに直接接続されるＦＡＸ装置２８から出力を可能とする。
【００２４】
尚、適応する第2のオフフック検出回路２６は、ＦＡＸ装置２８がオフフック状態でないのを確認した場合(ステップ７)や、送信データの送信が終了した場合(ステップ8)や、ユーザーが送信を中止した場合（ステップ９）等は、送信を中止するようにマイコン２２は制御する。
【００２５】
なお、図２においてはＮＣＵ１５に必要なブリッジ回路等は本発明の説明に直接関係しないので省略した。
【００２６】
上記のように構成された通信装置においては、電話回線を介さずに直接接続されるＦＡＸ装置２８に対してＮＣＵ１５が呼び出し信号を送信する手段を有し、ＦＡＸ装置２８は呼び出し信号を受信してＮＣＵ１５に対して、オフフック制御できるようになる。
【００２７】
即ち、電話回線を介さずに直接接続されるＦＡＸ装置２８に対してＮＣＵ回路１５が呼び出し信号生成機能を有する事で、呼び出し信号を送出できる。それによりＦＡＸ装置２８はオフフック制御できるようになり、直接接続されるＦＡＸ装置２８はデーターを自動受信できる。その結果、ビットマップデーター等の画像データを簡単にＦＡＸ装置に直接送信し印字することができる。
【００２８】
又、ＦＡＸ装置を簡易的なプリンターとしてユーザーがより簡単に使用できる。
【００２９】
（実施の形態２）
次に本発明の通信装置の第２の実施の形態例を図面を参照しながら説明する。
【００３０】
図４において、３１はＦＡＸモデムであってマイコン３２により制御され、ＦＡＸのデジタルデータを入力しアナログ信号に変調して出力する。３３は呼び出し信号生成回路であって、マイコン３２からの１６Ｈｚで１秒オン、２秒オフの周期の呼び出し信号を入力し、２００Ｖ程度の振幅に変換して出力する。３４は第１の切り替え回路であってＦＡＸ装置３８の接続元をＦＡＸモデム３１あるいは呼び出し信号生成回路３３にするかをマイコン３２の制御で切り替える。３５は第１のオフフック検出回路であって第１の切り替え回路３４が呼び出し信号生成回路３３側に切り替えられている場合にＦＡＸ装置３８に接続され、オフフック状態を検知する。
【００３１】
３６は第２のオフフック検出回路であって第１の切り替え回路３４がＦＡＸモデム３１側に切り替えられている場合にＦＡＸ装置３８に接続され、オフフック状態を検知する。３７はＤＣ供給回路であって電流源であり、ＦＡＸ装置３８に対して第１の切り替え回路３４と後述する第２の切り替え回路３９を介してＤＣ電流を供給する。３９は第２の切り替え回路であってＦＡＸモデム３１の接続先を電話回線あるいはＤＣ供給回路３７にするかをマイコン３２の制御で切り替える。
【００３２】
ＦＡＸモデム３１からＦＡＸフォーマットデータをＦＡＸ装置３８への送信し、ＦＡＸ装置３８から出力をする場合、図３のフローチャートで示した制御のように、マイコン３２は、適応する第2のオフフック検出回路３６または第1のオフフック検出回路３５によりＦＡＸ装置３８がオフフック状態でないのを確認し(ステップ１)、第１の切り替え回路３４は呼び出し信号生成回路３３側に切り替えられ、第２の切り替え回路３９はＤＣ供給回路３７側に切り替えられる(ステップ２)。その後、呼び出し信号生成回路３３が呼び出し信号をＦＡＸ装置３８に送出する(ステップ３)。そして、ＦＡＸ装置３８が所定の時間内にオフフックしたのをオフフック検出回路３５によって確認し(ステップ5)、第１の切り替え回路３４を、ＦＡＸモデム３１側に切り替える(ステップ6)。この時、ＤＣ供給回路３７からＦＡＸ装置３８に直流電流が供給される。そして、ＦＡＸモデム３１は、画像メモリー１１からのＦＡＸデータを、ＦＡＸ装置３８に送信するよう制御する(ステップ１０)。
【００３３】
適応するオフフック検出手段３６またはオフフック検出回路３５は、ＦＡＸ装置３８がオフフック状態でないのを確認した場合(ステップ７)や、送信データの送信が終了した場合（ステップ８）や、ユーザーが送信を中止した場合(ステップ９)などは、送信を中止するように制御する。
【００３４】
次に、ＦＡＸモデム３１から電話回線へＦＡＸフォーマットデータを送信する場合の制御を、図５のフローチャートおよび図４を用いて説明する。
【００３５】
適応する第2のオフフック検出回路３６によりＦＡＸ装置３８がオフフック状態でないのをマイコン３２が確認し(ステップ11)、第１の切り替え回路３４を呼び出し信号生成回路３３側に切り替える。また、このとき第２の切り替え回路３９を電話回線側に切り替える(ステップ１２)。
【００３６】
次に、マイコン３２が第2のオフフック検出回路３６を用いて電話回線がオフフック状態でないのを確認し(ステップ13)、ＦＡＸモデム３１が呼び出し信号を電話回線に送出する(ステップ１４)。
【００３７】
その後、電話回線が所定の時間内でオフフックした(タイムアウト)のを確認し(ステップ１５)、ＦＡＸフォーマットのＦＡＸデータを、ＦＡＸモデム３１から電話回線に送信するよう制御する(ステップ１９)。
【００３８】
ＦＡＸモデム３１は、電話回線がオフフック状態でないのを確認した場合(ステップ１６)や、送信データの送信が終了した場合(ステップ17)や、ユーザーが送信を中止した場合（ステップ18）、送信を中止するように制御する。
【００３９】
また、ＦＡＸ装置３８から電話回線に送信するように制御する場合は、ＦＡＸ装置３８がオフフック状態であることを適応する第2のオフフック検出回路３６または第1のオフフック検出回路３５が検出し、第１の切り替え回路３４をＦＡＸモデム３１側に切り替えるとともに、第２の切り替え回路３９は電話回線側に切り替えられる。その後、ＦＡＸ装置３８が電話回線にＦＡＸデータを送信する。
【００４０】
なお、図４においてはＮＣＵ回路１１５に必要なブリッジ回路等は本発明の説明に直接関係しないので省略した。
【００４１】
上記のように構成された通信装置においては、実施の形態１で説明した構成の効果に加えて、ＮＣＵ回路１１５が送信データの送り先を電話回線あるいはＦＡＸ装置どちらかにマイコンの制御により選択する機能を持つため、ユーザーが送信データの送り先を選択できるようになる。
【００４２】
その結果、ユーザーが送信するデータの送り先を自由に選択できる使用用途の広い通信装置を実現する
（実施の形態３）
次に本発明の第３の実施の形態例を図面を参照しながら説明する。
【００４３】
図６において、４１はＦＡＸモデムであってマイコン４２により制御され、ＦＡＸのデジタルデータを入力しアナログ信号に変調して出力するとともに、入力する変調されたアナログ信号をＦＡＸのデジタルデータに復調する。４３は呼び出し信号生成回路であって、マイコン４２からの１６Ｈｚで１秒オン、２秒オフの周期の呼び出し信号を入力し、２００Ｖ程度の振幅に変換して出力する。４４は第１の切り替え回路であってＦＡＸ装置４８の接続元をオフフックリレー４０１を介して接続されるＦＡＸモデム４１あるいは呼び出し信号生成回路４３にするかをマイコン４２の制御で切り替える。４５は第１のオフフック検出回路であって第１の切り替え回路４４が呼び出し信号生成回路４３側に切り替えられている場合にＦＡＸ装置４８に接続されオフフック状態を検知する。４６は第２のオフフック検出回路であって第１の切り替え回路４４がオフフックリレー４０１側に切り替えられている場合にＦＡＸ装置４８に接続されオフフック状態を検知する。
【００４４】
４７はＤＣ供給回路であって電流源であり、ＦＡＸ装置４８に対して第１の切り替え回路４４と後述する第２の切り替え回路４９を介してＤＣ電流を供給する。４９は第２の切り替え回路であってＦＡＸモデム４１の接続先をオフフックリレー４０１を介して、電話回線あるいはＤＣ供給回路４７にするかをマイコン４２の制御で切り替える。４０はリング検出回路であって、電話回線に接続され電話回線から呼び出し信号が送信されてきたかどうかを判別し、その結果をＦＡＸモデム４１に出力し、ＦＡＸモデム４１はマイコン４２に出力する。
【００４５】
４０３はオフフックリレーの両端に接続されＡＣ結合するコンデンサである。４０２は電流源で、オフフックリレー４０１のＦＡＸモデム４１側と電話回線の接地点との間に電流を流すことにより電話回線に対してオフフックする。
【００４６】
ユーザーがＦＡＸモデム４１からＦＡＸ装置４８へＦＡＸデータフォーマットの信号を送信する場合、図３のフローチャートで説明した制御のように、適応する第2のオフフック検出回路４６または第1のオフフック検出回路４５によりＦＡＸ装置４８がオフフック状態でないのを確認し(ステップ1)、マイコン４２は第１の切り替え回路４４を呼び出し信号生成回路４３側に切り替える
（ステップ2）。このとき第２の切り替え回路４９はＤＣ供給回路４７側に切り替えられるように制御される。
【００４７】
次に、呼び出し信号生成回路４３がＦＡＸ装置４８に呼び出し信号を送出する(ステップ３)。そしてＦＡＸ装置４８が所定の時間以内にオフフックしたのを適応する第1のオフフック検出回路４５により確認(ステップ５)してから、第１の切り替え回路４４をオフフックリレー４０１側に切り替える(ステップ6)。そしてオフフックリレー４０１は遮断状態で維持される。
【００４８】
次に、ＦＡＸモデム４１は、画像メモリー１１の画像データを、ＦＡＸデータとしてＦＡＸ装置４８に送信するよう制御する（ステップ10）。
【００４９】
尚、適応するオフフック検出手段４６は、ＦＡＸ装置４８がオフフック状態でないのを確認した場合(ステップ7)や、送信データの送信が終了した場合(ステップ8)や、ユーザーが送信を中止した場合(ステップ9)は、送信を中止するように制御する。
【００５０】
また、電話回線からアナログ変調されたＦＡＸデータが送信されてきた場合にＦＡＸモデム４１を介して受信する場合のマイコン４２による制御を、図７のフローチャートを用いて説明する。
【００５１】
マイコン４２は、リング検出回路４０により電話回線からの呼び出し信号を検出し(ステップ21)、適応する第2のオフフック検出回路４６によりＦＡＸ装置４８のオフフック状態を確認する(ステップ22)。ＦＡＸ装置４８がオフフック状態でないのを第2のオフフック検出回路４６が確認すると、第２の切り替え回路４９を電話回線側に切り替える(ステップ23)。そしてオフフックリレー４０１を導通し、電話回線に対してオフフックする(ステップ24)。その後、マイコン４２は、ＦＡＸモデム４１がアナログ変調されたＦＡＸデータを電話回線から受信するように制御する(ステップ29)。
【００５２】
マイコン４２が電話回線がオフフック状態でないのを確認した場合(ステップ26)や、受信データが終了した場合(ステップ27)や、ユーザーが受信を中止した場合(ステップ28)は、受信を中止するように制御する。
【００５３】
また、ＦＡＸモデム４１から電話回線へ送信を行う場合と、ユーザーがＦＡＸ装置４８から電話回線にデータを送信する場合、すなわちＦＡＸ装置４８に読み込ませたデータを電話回線を介して外部に送信する場合は、第２の実施の形態例で説明したものと同様な制御を行うことで、その作業を達成することができる。
【００５４】
なお、図４においてはＮＣＵ回路１２５に必要なブリッジ回路等は本発明の説明に直接関係しないので省略した。
【００５５】
上記のように構成された通信装置においては、上記の実施の形態２で示した構成による効果に加えて、ＦＡＸモデムが電話回線からのデータを受信もできるようになる。
【００５６】
その結果、ユーザーが受信するデータの送り元を自由に選択できる使用用途の広い通信装置を実現する。
【００５７】
（実施の形態４）
次に本発明の通信装置の第４の実施の形態例を図面を参照しながら説明する。
【００５８】
図８において、５１はＦＡＸモデムであってマイコン５２により制御され、ＦＡＸのデジタルデータを入力し、アナログ信号に変調して出力するとともに、入力する変調されたアナログ信号をＦＡＸのデジタルデータに復調する。５３は呼び出し信号生成回路であって、マイコン５２からの１６Ｈｚで１秒オン、２秒オフの周期の呼び出し信号を入力し、２００Ｖ程度の振幅に変換して出力する。５４は第１の切り替え回路でＦＡＸ装置５８の接続元をオフフックリレー５０１を介して接続されるＦＡＸモデム５１あるいは呼び出し信号生成回路５３にするかをマイコン５２の制御で切り替える。
【００５９】
５５は第１のオフフック検出回路であって第１の切り替え回路５４が呼び出し信号生成回路５３側に切り替えられている場合にＦＡＸ装置５８に接続されオフフック状態を検知する。５６は第２のオフフック検出回路であって第１の切り替え回路５４がオフフックリレー５０１側に切り替えられている場合にＦＡＸ装置５８に接続されオフフック状態を検知する。５７はＤＣ供給回路であって電流源であり、ＦＡＸ装置５８に対して第１の切り替え回路５４と後述する第２の切り替え回路５９を介してＤＣ電流を供給する。５９は第２の切り替え回路であってＦＡＸモデム５１の接続先を電話回線あるいはＤＣ供給回路５７にするかをマイコン５２の制御で切り替える。５０はリング検出回路であって、電話回線に接続され電話回線から呼び出し信号が送信されてきたかどうかを判別しその結果を出力する。
【００６０】
５０３はオフフックリレーの両端に接続しＡＣ結合するコンデンサである。５０２は電流源であって、オフフックリレー５０１のＦＡＸモデム５１側と電話回線の接地点との間に電流を流すことにより電話回線に対してオフフックする。５０４はＦＡＸコーリングトーン検出回路であってＦＡＸモデム５１と同様に接続され、ＦＡＸコーリングトーンを検出しその結果を出力する。
【００６１】
以下に、この構成の動作制御を説明する。ユーザーがＦＡＸ装置５８に読み込ませたデータを、ＦＡＸデータとしてＦＡＸモデム５１に送信するように制御を行う場合の動作を、図９のフローチャートで示す。
【００６２】
まず最初に、マイコン５２は、ＦＡＸ装置５８のオフフック状態を適応する第2のオフフック検出回路５６、または第1のオフフック検出回路５５を用いて検出する(ステップ31)。ＦＡＸ装置５８がオフフック状態であることを検出した場合には、第１の切り替え回路５４をオフフックリレー５０１側に、同じく第２の切り替え回路５９をＤＣ供給回路５７側に切り替え、オフフックリレー５０１は遮断を維持するように、マイコン５２は制御する(ステップ32)。
【００６３】
次に、ＦＡＸ装置５８がコーリングトーンを送出したのをＦＡＸコーリングトーン判別回路５０４により確認する(ステップ３３)。コーリングトーン信号が送出されたのを確認した場合は、ＦＡＸ装置５８が送信するアナログ変調されたＦＡＸデータを、ＦＡＸモデム５１が受信するよう制御する(ステップ37)。
【００６４】
ＦＡＸモデム５１からＦＡＸ装置５８へのデータの送信を行う場合、実施の形態３で説明した制御と同様の制御を行う。マイコン５２は、ＦＡＸ装置５８がオフフック状態でないのを確認した場合(ステップ34)や、受信データが終了した場合(ステップ35)や、ユーザーが受信を中止した場合(ステップ36)は、受信を中止するように制御する。
【００６５】
また、ＦＡＸモデム４１から電話回線へ送信を行う場合や、ユーザーがＦＡＸ装置４８で読み込んだデータを電話回線に送信させる場合は、第２の実施の形態例と同様な制御を行う。なお、図５においてはＮＣＵ回路に必要なブリッジ回路等は本発明の説明に直接関係しないので省略した。
【００６６】
上記のように構成された通信装置においては、実施の形態２で示した構成による効果に加えて、電話回線を介さず直接接続されるＦＡＸ装置５８からのコーリングトーン信号を検出する機能を有し、その検出結果により、ＦＡＸモデム５１がＦＡＸ装置５８に対してオフフックさせ、直接接続されるＦＡＸ装置５８からのデータをＦＡＸモデム５１によって受信できる。またＮＣＵ回路１３５が、受信データの送り元を電話回線、あるいはＦＡＸ装置５８のどちらかに選択する機能を有し、その結果、ユーザーが受信するデータの送り元を自由に選択できる使用用途の広い通信装置を実現する
即ち、電話回線を介さずに直接接続されるＦＡＸ装置からのコーリングトーン信号を検出する機能または呼び出し信号を検出する機能を有し、その検出結果によりマイコンがオフフックし受信動作を開始することで、直接接続されるＦＡＸ装置からデーターを自動受信できる。結果、ＦＡＸ装置で送信できる情報を直接接続されるＦＡＸ装置から受信し、ビットマップデーター等の画像データとして取り込むことができる。ＦＡＸ装置をスキャナーとしてユーザーがより簡単に使用できる。
【００６７】
（実施の形態５）
次に本発明の通信装置の第５の実施の形態を、図面を参照しながら説明する。
【００６８】
図１０において、７１はＦＡＸモデムであってマイコン７２により制御され、入力する変調されたアナログ信号をＦＡＸのデジタルデータに復調する。７３はオフフック検出回路であってＦＡＸ装置７５に接続される。７４はＤＣ供給回路であって電流源であり、ＦＡＸ装置７５に対してＤＣ電流を供給する。７６は切り替え回路であってＦＡＸモデム７１の接続先をオフフックリレー７７を介して電話回線あるいはＤＣ供給回路７４にするかをマイコン７２の制御で切り替える。
【００６９】
７８はリング検出回路であって、電話回線に接続されており、この電話回線から呼び出し信号が送信されてきたかどうかを判別し、その結果をＦＡＸモデム７１に出力する。７９はオフフックリレーの両端に接続されＡＣ結合するコンデンサである。８０は電流源であって、オフフックリレー７７のＦＡＸモデム７１側と電話回線の接地点との間に電流を流すことにより、電話回線に対してオフフックとするものである。８１はＦＡＸコーリングトーン検出回路であって、ＦＡＸモデム７１と同様に接続され、ＦＡＸ装置７５からのＦＡＸコーリングトーンを検出し、その結果をマイコン７２に出力する。
【００７０】
ＦＡＸ装置７５からＦＡＸデータの送信を行う場合の制御について説明する。まず、オフフック検出回路７３によりＦＡＸ装置７５のオフフック状態を検知する。ＦＡＸ装置７５がオフフック状態であることをオフフック検出回路７３により検出した場合、切り替え回路７６をＤＣ供給回路７４側に切り替える。このときオフフックリレー７７は遮断を維持する。
【００７１】
次に、ＦＡＸ装置７５がコーリングトーンを送出したのをＦＡＸコーリングトーン検出回路８１により確認したとき、ＦＡＸ装置７５が送信するアナログ変調されたＦＡＸデータを、ＦＡＸモデム７１が受信するよう制御する。
【００７２】
一方、電話回線からアナログ変調されたＦＡＸデータが送信されてきた場合、リング検出回路７８により電話回線からの呼び出し信号を検出し、切り替え回路７６を電話回線側に切り替え、オフフックリレー７７を導通し、電話回線に対してオフフックした後、電話回線からＦＡＸモデム７１がアナログ変調されたＦＡＸデータを受信するよう制御する。
【００７３】
なお、図１０においてはＮＣＵ回路１４５に必要なブリッジ回路等は本発明の説明に直接関係しないので省略した。
【００７４】
上記のように構成された通信装置においては、実施の形態の効果に加えて、ＮＣＵ回路が受信データの送り元を電話回線あるいはＦＡＸ装置どちらかに選択する機能を有し、ユーザーが受信するデータの送り元を選択できる。
【００７５】
尚、上記の実施の形態４、実施の形態５で説明した通信装置において、ＦＡＸ装置の出力するコーリングトーンを判別するコーリングトーン検出回路の代わりに、ＦＡＸ装置の出力する呼び出し信号を判別するＦＡＸ装置呼び出し信号判別手段を有し、ユーザーがＦＡＸ装置からＦＡＸモデムにＦＡＸデータの送信を行った場合、ＦＡＸ装置が呼び出し信号を送出したのをＦＡＸ装置呼び出し信号判別手段によりマイコンが確認した後、ＦＡＸ装置が送信するアナログ変調されたＦＡＸデータを受信するように制御することも可能である。
【００７６】
（実施の形態６）
次に本発明の通信装置の第６の実施の形態を一部表示形式を変えた図１１を参照しながら説明する。
【００７７】
図１１は本発明に係る通信装置の構成の一実施例を示し、図１１において、８２はＦＡＸモデムであってデジタル・データを公衆電話回線で伝送するためにアナログ信号に変復調する作用をもっており、近年ではその主要回路はＩＣに集積化された構成をとっている。９４はモデムに接続される一般の公衆電話回線であって、ＦＡＸモデム８２との間でデータのやりとりを行う。８３は絶縁トランスであって、図4等の記載しているが符号を付与していない「トランス」と記載した構成要素と同じであり、ＦＡＸモデム８２側の電圧レベルと電話回線９４側の電圧レベルとの差を変圧する作用をもっている。
【００７８】
抵抗８５は信号レベルを調整する作用をもっており、コンデンサ８６は直流信号を遮断する作用をもっている。第１のリレー９３は電話機付きのファクシミリ装置等の端末９２あるいはＦＡＸモデム８２に接続するのが電話回線９５か直流電源９５(図4等のＤＣ供給回路に相当する)かを選択する作用をもっており、第２のリレー８８はＦＡＸモデム８２と電話回線９４との接続を制御する作用をもっており、第３のリレー８４は直流ループを形成するために設けられたダイオードブリッジ８７(図4等では省略)および直流回路９０をバイパスするか否かを制御する作用をもっており、第４のリレー９１はリング信号発生回路８９(図4等の呼び出し信号生成回路に相当する)で作ったリング信号を電話機付きのファクシミリ装置等の端末９２へ送信するか否かを制御する作用をもっている。
【００７９】
リング信号発生回路８９は通常の公衆電話回線を通して伝送されるリング信号と同様な信号を発生させる作用をもっており、ここで発生されたリング信号が電話機に伝送される。すなわち、ＦＡＸモデム８２から電話機付きのファクシミリ装置等の端末９２にリング信号を伝送できる、つまり呼び出しが可能となる。
【００８０】
次にこのように構成された実施例の動作について説明する。まず、電話回線９４とＦＡＸモデム８２との間で伝送が行われるときには、第１のリレー９３はオフ（図１１においては上側、以下すべてのリレーにおいて上側がオフで下側がオンとする）、第２のリレー８８はオン、第３のリレー８４はオフ、第４のリレー９１はオフされる。この状態においては回線に直流ループが形成され、ＦＡＸモデム８２は絶縁トランス８３を介して電話回線９４と接続され、通常の伝送が行われる。
【００８１】
次に、従来の構成において電話機付きのファクシミリ装置等の端末９２とＦＡＸモデム８２との間で伝送が行われるときには、第１のリレー９３はオン、第２のリレー８８はオフ、第３のリレー８４はオフ、第４のリレー９１はオフされる。この状態のときには、ダイオードブリッジ８７には直流電圧が印可されていないためダイオードはオフしており、電話機付きのファクシミリ装置等の端末９２とＦＡＸモデム８２との間の信号は、レベルが低下するために確実な通信が難しくなる。しからば、第２のリレー８８をオンし、ダイオードブリッジ８７を導通させればよいのであるが、こうすると直流電源９５は、電話機付きのファクシミリ装置等の端末９２ならびに直流回路９０の双方に電流供給が必要となり、電源の構成も大容量で高価なものが必要となる。そこで本実施例では第３のリレー８４を設け、これをオンすることによりダイオードブリッジ８７と直流回路９０をバイパスさせ、電話機付きのファクシミリ装置等の端末９２とＦＡＸモデム８２との間で通信を可能とするものである。
【００８２】
さらに本実施例によれば、電話機付きのファクシミリ装置等の端末９２が電話回線９４を介して他の端末と通信を行う場合、その回線信号のモニタが必要な場合に、上記と同様に第２のリレー８８をオフ、第３のリレー８４をオンすることにより、第２のリレー８８がオフの状態にあっても抵抗８５とコンデンサ８６の直列回路を介してＡＣ的に相手側の状態をファクシミリのＣＮＧ信号や電話機のＤＴＭＦ信号などをモニタすることが可能となる。又、ダイオードブリッジ８７と直流回路９０をバイパスされるので、ダイオードによる電圧降下なしで回線信号のモニタが可能となる。
【００８３】
以上のように本実施の形態によれば、上記した構成によって、従来のように外部にわざわざモニタ装置を追加する必要もなく、簡単な回路構成によって電話回線や電話機のモニタが可能になるという有利な効果が得られる。更に、本通信装置は他の実施の形態と同様に、ＦＡＸ装置は電話回線接続用端子に接続することなくＦＡＸモデムと直接接続が可能であり、ＦＡＸ装置を電話回線用端子に接続することなくデータの送受信ができる。即ち、４つのリレーを用いることにより、その中のオフフックリレーがオフの状態にあっても抵抗とコンデンサの直列回路を介して相手側の状態をファクシミリのＣＮＧ信号や電話機のＤＴＭＦ信号などをＡＣ的にモニタすることが可能となる。結果、モニタデイスプレイを用いずに簡単な回路構成によって電話回線や電話機のモニタが可能になるという有利な効果が得られる。
【００８４】
【発明の効果】
以上のように本発明の通信装置は、電話回線を介すことなく直接接続されるＦＡＸ装置にデータを出力する事ができるので、ＦＡＸ装置を用いて簡単にデータを印字する事ができる。
また、通信回線を介すことなく直接接続されるＦＡＸ装置からのコーリングトーンを検出する事ができるので、ＦＡＸ装置を用いて読み取ったデータを簡単に取り込むことができる。
【図面の簡単な説明】
【図１】本発明の通信装置の構成例を示すブロック図
【図２】本発明の第１の実施の形態におけるＮＣＵ回路の構成を示すブロック図
【図３】同ＮＣＵ回路の制御動作のフローチャート
【図４】本発明の第２の実施の形態におけるＮＣＵ回路の構成を示すブロック図
【図５】同ＮＣＵ回路の制御動作のフローチャート
【図６】本発明の第３の実施の形態におけるＮＣＵ回路の構成を示すブロック図
【図７】同ＮＣＵ回路の制御動作のフローチャート
【図８】本発明の第４の実施の形態におけるＮＣＵ回路の構成を示すブロック図
【図９】同ＮＣＵ回路の制御動作のフローチャート
【図１０】本発明の第５の実施の形態におけるＮＣＵ回路の構成を示すブロック図
【図１１】本発明の第６の実施の形態におけるＮＣＵ回路の構成を示すブロック図
【図１２】従来の通信装置の構成をしめすブロック図
【図１３】従来の通信装置のＮＣＵ回路の構成を示すブロック図
【符号の説明】
２３、３３、４３、５３、８９  呼び出し信号生成回路
２５、２６、３５、３６、４５、４６、５５、５６、７３  オフフック検出回路
２７、３７、４７、５７、７４、９０  ＤＣ供給回路
２４、３４、３９、４４、４９、５４、５９、７６、８４、９１、９３  切り替え回路
４０、５０、７４  リング検出回路
８１  ＦＡＸコーリングトーン検出回路
【図１】
0003733740.tif 000002
【図２】
0003733740.tif 000003
【図３】
0003733740.tif 000004
【図４】
0003733740.tif 000005
【図５】
0003733740.tif 000006
【図６】
0003733740.tif 000007
【図７】
0003733740.tif 000008
【図８】
0003733740.tif 000009
【図９】
0003733740.tif 000010
【図１０】
0003733740.tif 000011
【図１１】
0003733740.tif 000012
【図１２】
0003733740.tif 000013
【図１３】
0003733740.tif 000014